(57)【要約】【課題】　予定されたマンホール蓋／枠の取替え工事に際して、工事範囲を最小限とすると共に、転圧工程を不要とし、工事工程及び工事期間を削減／短縮し、振動及び騒音等の公害をもクリア出来るマンホール蓋／枠取替え工法の提供。【解決手段】　電気、電信、ガス、及び上下水道系等におけるマンホール蓋／枠の取替え工事に際し、蓋／枠の周囲に回転円弧状または球面状に切り込み１を入れて分離除去可能とし、分離除去した空間に、主としてカルシウム、サルフォ、ルミネート系等の金属系無収縮材を含有するモルタル類からなる自硬性を有する高流動性無収縮充填材を路盤材６として充填し、転圧工程を不要とすることを特徴とする。【選択図】　　　　図１
2004068596.tif 000002
【特許請求の範囲】
【請求項１】
　電気、電信、ガス、及び上下水道系等におけるマンホール蓋／枠の取替え工事に際し、蓋／枠の周囲に回転円弧状または球面状に切り込みを入れて分離除去可能とし、分離除去した空間に主材とする自硬性を有する高流動性無収縮充填材を充填し、転圧工程を不要としたことを特徴とするマンホール蓋／枠取替え工法。
【請求項２】
　請求項１記載のマンホール蓋／枠取替え工法において、前記高流動性無収縮充填材は、主としてカルシウム、サルフォ、アルミネート系等の金属系無収縮材を含むモルタル類からなることを特徴とするマンホール蓋／枠取替え工法。
【請求項３】
　請求項１記載のマンホール蓋／枠取替え工法において、前記高流動性無収縮充填材は、主として金属性骨材を含まない非金属系無収縮材を含むモルタル類からなることを特徴とするマンホール蓋／枠取替え工法。
【請求項４】
　請求項１記載のマンホール蓋／枠取替え工法において、路面表層材を繊維質含有材料としたことを特徴とするマンホール蓋／枠取替え工法。
【請求項５】
　請求項１記載のマンホール蓋／枠取替え工法において、前記高流動性無収縮充填材を充填する際に、補強用鉄筋を網目状に配設したことを特徴とするマンホール蓋／枠取替え工法。
【発明の詳細な説明】
【技術分野】
【０００１】
　この発明は、電気、電信、ガス、及び上下水道系等におけるマンホール蓋／枠取替え工法に関する。
【背景技術】
【０００２】
　従来、電気、電信、ガス、及び上下水道系等におけるマンホール蓋／枠の取替え工事に際しては、平板状のカッター、コアカッター、等で四方形またはカット面がストレートな円版状に切断し、切断部を除去した後、補修部分に補修材を充填し、その後転圧機で転圧作業をして工事終了とするのが通例である。
【０００３】
　また、開示されている舗装路面開口工法では、「舗装路面を開口予定部の周囲に沿って切断すると共にその切断された柱状舗装版を引上げて取り外す工程を含み、柱状舗装版に１又は２以上のアンカーが埋設され、柱状舗装版は円形、または四角形に切断され、四角形の場合は少なくとも対向する二辺は深さ方向に先細りとなるように切断され」、と記載されている（例えば、特許文献１参照。）。
【特許文献１】特公平２−１５６８７号公報
【発明の開示】
【発明が解決しようとする課題】
【０００４】
　然しながら、上述の従来例では、四角形に切断する場合は勿論のこと、円形切断の場合でも、前者の場合は四隅と底部全縁に、後者の場合は底部全縁に角張った隅部が発生し（図４（ｂ）参照）、補修材等の充填材を充填しても前記隅部に前記充填材が十分に行き渡らず空隙が生じ、切断部が略垂直な壁面となり、切断部側面の摩擦力のみで支持されているのでずれて沈下し易い為、路面に生じた隙間から雨水等が浸透し易く、沈下を助長し、事故の原因を誘起することとなる。
【０００５】
　また、四角形に切断する場合は、図４（ｂ）に示すように４角部に余分なカットクロス部ができ、その分の補修も含まれることになる。
【０００６】
　上述のように従来工法では、カットクロス部のような余分な補修工事が発生したり、補修工事の際に、後工程で転圧作業をしなければ、経時的に表層部及び路盤部が沈下し、路面に凹凸が発生する虞がある等の不都合な問題があった。
【０００７】
　然も従来の充填材では、硬化時間も含めて工事期間が余り短縮できないという問題があり、更に騒音公害の点でも改善の余地がある、等々の課題がある。
【０００８】
　本発明は、上述の状況に鑑みて成されたもので、予定されたマンホール蓋／枠の取替え工事に際して、工事範囲を最小限とすると共に、転圧工程を不要とし、工事工程及び工事期間を削減／短縮し、振動及び騒音等の公害をもクリア出来るマンホール蓋／枠取替え工法を提供することを目的とする。
【課題を解決するための手段】
【０００９】
　本発明は、下記構成を備えることにより上記課題を解決できるものである。
【００１０】
　（１）電気、電信、ガス、及び上下水道系等におけるマンホール蓋／枠の取替え工事に際し、蓋／枠の周囲に回転円弧状または球面状に切り込みを入れて分離除去可能とし、分離除去した空間に自硬性を有する高流動性無収縮充填材を充填し、転圧工程を不要とするマンホール蓋／枠取替え工法。
【００１１】
　（２）前項（１）記載のマンホール蓋／枠取替え工法において、前記高流動性無収縮充填材は、主としてカルシウム、サルフォ、アルミネート系等の金属系無収縮材を含むモルタル類からなるマンホール蓋／枠取替え工法。
【００１２】
　（３）前項（１）記載のマンホール蓋／枠取替え工法において、前記高流動性無収縮充填材は、主として金属性骨材を含まない非金属系無収縮材を含むモルタル類からなるマンホール蓋／枠取替え工法。
【００１３】
　（４）前項（１）記載のマンホール蓋／枠取替え工法において、路面表層材を繊維質含有材料としたマンホール蓋／枠取替え工法。
【００１４】
　（５）前項（１）記載のマンホール蓋／枠取替え工法において、前記高流動性無収縮充填材を充填する際に、補強用鉄筋を網目状に配設したことを特徴とするマンホール蓋／枠取替え工法。
【発明の効果】
【００１５】
　以上説明したように、予定されたマンホール蓋／枠の取替え工事に際して、工事範囲を最小限とすると共に、転圧工程を不要とし、工事工程及び工事期間を削減／短縮し、振動及び騒音等の公害をもクリア出来るマンホール蓋／枠取替え工法を提供することが出来る。
【発明を実施するための最良の形態】
【００１６】
　以下本発明を実施するための最良の形態を、実施例により詳しく説明する。
【実施例１】
【００１７】
　以下、本発明に係るマンホール蓋／枠取替え工法の実施の形態について説明する。
【００１８】
　図１は、回転円弧状または球面状カッターを有する路面用カッター装置を用いて予定されたマンホール蓋／枠の周囲に回転円弧状または球面状に切り込みを入れた状況の一例を示す説明図、図２（ａ）は、切り込みを入れて分離除去可能とした切断片を除去した後の状況の一例を示す断面説明図、（ｂ）は、切断片の模式的外観斜視図、図３は、マンホール蓋／枠取替え後の最終工程施工状況の一例を示す詳細断面説明図、（ａ）は路盤材及び調整部材充填時の詳細断面説明図、（ｂ）は表層材充填後の詳細断面説明図、図４は、本発明に係る本工法と従来から行われていた従来工法との比較説明図であり、（ａ）は本工法の回転円弧状（球面状）切断の場合、（ｂ）は従来工法の四角形（四工程）切断、または円形切断の場合の例、図５（ａ）は、補強用鉄筋を網目状に配設した場合の状況を示す側断面図、（ｂ）はＡ部拡大図である。
【００１９】
　本実施例は、特開２００１−２９５２１６号公報に開示の路面用カッター、または特願２００２−６０５１４号出願の路面用カッター装置を用いて施工した場合であって、切断面となる壁面を回転円弧状または球面状に、且つ必要最小限の範囲で切断施工が可能である。
【００２０】
　前記装置を用いて、予定されたマンホール蓋／枠の同心円上路面に所定深さの回転円弧状または球面状切り込み１を入れ、取替えを必要とする部分、例えば、蓋及び蓋受枠２′を交換し、切断片を分離除去した後の空間に、予め用意した、例えば、路盤材６となるカルシウム、サルフォ、アルミネート系等の金属系無収縮材を含有するモルタル類からなる自硬性を有する高流動性無収縮充填材を充填し、また路面の表層部に繊維質を含有する表層材８を、余分に盛り上げることをせず、既存の路面に合わせて仕上げればよい。
【００２１】
　以下、図面を参照して実施例について詳細に説明する。
【００２２】
　図１において、ａ　先ず、交換を必要とする蓋受枠２′の径ｄが６５４ｍｍの場合、切断する直径Ｄは１０００ｍｍとし、予め用意した回転円弧状または球面状カッターを備えた路面用カッター装置の車輪角度を設定（ワンタッチ操作）し、装置を３６０°旋回して回転円弧状または球面状切り込み１を入れ（舗装切断）、ｂ　次いで、図２（ｂ）に示すように疑似円環状（ドーナツ状）の切断片を除去し、図２（ａ）に示すような疑似円環状（ドーナツ状）の空間を形成させ、旧い蓋受枠２′を取り外した後、下桝３の上面を清掃し、次に、ｃ　高さ調整部付きアンカーボルト５（後施工型アンカーボルト）を設置し（図３（ａ）、（ｂ）参照）、高さ調整し、新しい蓋受枠２、及び内型枠４を取り付ける。次に、ｄ　路盤材６及び調整部材７を充填し、養生時間（約１９分）経過後、ｅ　表層材８を、例えば、厚み５０ｍｍ（ｈ）に充填し、そして仕上げ作業を行い、表層材８の養生時間約３０分で実作業を終了する。
【００２３】
　本実施例では、実際の合計作業時間は２時間１４分であった。
【００２４】
　路盤材６及び調整部材７は、前述したように、カルシウム、サルフォ、アルミネート系等の金属系無収縮材を含有するモルタル類からなる自硬性を有する高流動性無収縮充填材を使用している。
【００２５】
　然も本工法では、補修材となる充填材は、短時間で所定強度に硬化するので、施工を開始してから完工するまで、所要の施工合計時間は３時間以内であり（季節及び環境条件によって多少変動あり）、作業時間を従来法と比較して略１／２以下に短縮することが出来る。
【００２６】
　尚、本工法の最大の特徴は、切断部の壁面を従来の様な柱状ではなく、回転円弧状または球面状切断部１ａとすることが出来るので、図４（ａ）に示すように、補修材（充填材）が、球面状を形成する切断部の摩擦力に加えて求心方向支持力により、例えば、図４（ａ）に示すように、上方からの圧力、即ち車両等の荷重Ｐを受ければ受けるほど、充填材と切断部１ａの密着性が高まり、従来法での柱状切断壁面のように隙間からの雨水の浸透等による補修部の沈下現象（図４（ｂ）参照）等を防止出来、トラブルを回避して全く安全且つ迅速なマンホール蓋／枠取替え工事を行うことが出来る。
【００２７】
　（その他の実施例１）
　その他の実施例１において、前述の実施例と異なる点は、高流動性無収縮充填材として、主として金属性骨材を含まない非金属系無収縮材を含むモルタル類からなることである。
【００２８】
　（その他の実施例２）
　その他の実施例２は、高流動性無収縮充填材を充填する際に、補強用鉄筋を網目状に配設したことである。
【００２９】
　図５（ａ）、（ｂ）に示すように、高流動性無収縮充填材となる路盤材の内部に所定太さの鉄筋を所定ピッチで網目状に配設することにより、万一周辺の路盤が崩壊しても、影響を受けず、安全を維持することが出来る。
【００３０】
　尚、本実施例では、高流動性無収縮充填材を指定して用いたが、本工法において、転圧もしくは転圧締め固め工程の必要の無い材料、または手作業程度の加圧操作で済む材料であれば良く、限定するものではない。
【図面の簡単な説明】
【００３１】
【図１】回転円弧状または球面状カッターを有する路面用カッター装置を用いて予定されたマンホール蓋／枠の周囲に回転円弧状または球面状に切り込みを入れた状況の一例を示す説明図
【図２】（ａ）切り込みを入れて分離除去可能とした切断片を除去した後の状況の一例を示す断面説明図、（ｂ）切断片の模式的外観斜視図
【図３】マンホール蓋／枠取替え後の最終工程施工状況の一例を示す詳細断面説明図、（ａ）路盤材及び調整部材充填時詳細断面説明図、（ｂ）は表層材充填後の詳細断面説明図
【図４】本発明に係る本工法と従来から行われていた従来工法との比較説明図、（ａ）本工法の回転円弧状（球面状）切断の場合、（ｂ）従来工法の四角形（四工程）切断、または円形切断の場合の例
【図５】（ａ）補強用鉄筋を網目状に配設した場合の状況を示す側断面図、（ｂ）Ａ部拡大図
【符号の説明】
【００３２】
１　回転円弧状または球面状切り込み
１ａ　回転円弧状または球面状切断部
２、２′　蓋受枠
３　下桝
４　内型枠
５　高さ調整部付きアンカーボルト（後施工形アンカーボルト）
６　路盤材
７　調整部材
８　表層材
【図１】
2004068596.tif 000003
【図２】
2004068596.tif 000004
【図３】
2004068596.tif 000005
【図４】
2004068596.tif 000006
【図５】
2004068596.tif 000007
【手続補正書】
【提出日】平成15年10月15日(2003.10.15)
【手続補正１】
【補正対象書類名】特許請求の範囲
【補正対象項目名】全文
【補正方法】変更
【補正の内容】
【特許請求の範囲】
【請求項１】
　マンホール蓋のある路面に、該マンホール蓋と同心円で深さ方向に径が狭まる回転円弧状または球面状切り込みを入れる切り込み工程と、
　前記切り込み工程で形成された切り込みと前記蓋を受ける蓋受枠との間にある舗装材および前記蓋受枠を除去する除去工程と、
　前記除去工程で除去した蓋受枠のあとに新しい蓋受枠を設置する蓋受枠設置工程と、
　前記蓋受枠設置工程で設置した蓋受枠と前記切り込みとの間の空間に、表面が前記路面と同じ高さになるまで舗装材を充填する充填工程と、
を備えたことを特徴とするマンホール補修方法。
【請求項２】
　請求項１記載のマンホール補修方法において、
　前記新しい蓋受枠は高さ調整部付きアンカーボルトが付属するものであり、前記蓋受枠設置工程において、下桝の上面に、前記アンカーボルトを設置し該蓋受枠の高さを調整することを特徴とするマンホール補修方法。
【請求項３】
　請求項１または２記載のマンホール補修方法において、
　前記切り込み工程で、前記蓋受枠表面まで切り込むことを特徴とするマンホール補修方法。
【手続補正２】
【補正対象書類名】明細書
【補正対象項目名】全文
【補正方法】変更
【補正の内容】
【発明の詳細な説明】
【技術分野】
【０００１】
　この発明は、電気、電信、ガス、及び上下水道系等におけるマンホールの補修方法に関する。
【背景技術】
【０００２】
　従来、電気、電信、ガス、及び上下水道系等におけるマンホール蓋／枠の取替え工事に際しては、平板状のカッター、コアカッター、等で四方形またはカット面がストレートな円版状に切断し、切断部を除去した後、補修部分に補修材を充填し、その後転圧機で転圧作業をして工事終了とするのが通例である。
【０００３】
　また、開示されている舗装路面開口工法では、「舗装路面を開口予定部の周囲に沿って切断すると共にその切断された柱状舗装版を引上げて取り外す工程を含み、柱状舗装版に１又は２以上のアンカーが埋設され、柱状舗装版は円形、または四角形に切断され、四角形の場合は少なくとも対向する二辺は深さ方向に先細りとなるように切断され」、と記載されている（例えば、特許文献１参照。）。
【特許文献１】特公平２−１５６８７号公報
【発明の開示】
【発明が解決しようとする課題】
【０００４】
　然しながら、上述の従来例では、四角形に切断する場合は勿論のこと、円形切断の場合でも、前者の場合は四隅と底部全縁に、後者の場合は底部全縁に角張った隅部が発生し（図４（ｂ）参照）、補修材等の充填材を充填しても前記隅部に前記充填材が十分に行き渡らず空隙が生じ、切断部が略垂直な壁面となり、切断部側面の摩擦力のみで支持されているのでずれて沈下し易い為、路面に生じた隙間から雨水等が浸透し易く、沈下を助長し、事故の原因を誘起することとなる。
【０００５】
　また、四角形に切断する場合は、図４（ｂ）に示すように４角部に余分なカットクロス部ができ、その分の補修も含まれることになる。
【０００６】
　上述のように従来工法では、カットクロス部のような余分な補修工事が発生したり、補修工事の際に、後工程で転圧作業をしなければ、経時的に表層部及び路盤部が沈下し、路面に凹凸が発生する虞がある等の不都合な問題があった。
【０００７】
　然も従来の充填材では、硬化時間も含めて工事期間が余り短縮できないという問題があり、更に騒音公害の点でも改善の余地がある、等々の問題がある。
【０００８】
　本発明は、上述の状況に鑑みて成されたもので、予定されたマンホール蓋／枠の取替え工事に際して、工事範囲を最小限とし、工事工程及び工事期間を削減／短縮出来るマンホール補修方法を提供することを課題とする。
【課題を解決するための手段】
【０００９】
　本発明は、前記課題を解決するため、マンホール補修方法を次の（１）〜（３）のとおりに構成する。
【００１０】
　（１）マンホール蓋のある路面に、該マンホール蓋と同心円で深さ方向に径が狭まる回転円弧状または球面状切り込みを入れる切り込み工程と、
　前記切り込み工程で形成された切り込みと前記蓋を受ける蓋受枠との間にある舗装材および前記蓋受枠を除去する除去工程と、
　前記除去工程で除去した蓋受枠のあとに新しい蓋受枠を設置する蓋受枠設置工程と、
　前記蓋受枠設置工程で設置した蓋受枠と前記切り込みとの間の空間に、表面が前記路面と同じ高さになるまで舗装材を充填する充填工程と、
を備えたマンホール補修方法。
【００１１】
　（２）前記（１）記載のマンホール補修方法において、
　前記新しい蓋受枠は高さ調整部付きアンカーボルトが付属するものであり、前記蓋受枠設置工程において、下桝の上面に、前記アンカーボルトを設置し該蓋受枠の高さを調整するマンホール補修方法。
【００１２】
　（３）前記（１）または（２）記載のマンホール補修方法において、
　前記切り込み工程で、前記蓋受枠表面まで切り込むことを特徴とするマンホール補修方法。
【発明の効果】
【００１３】
　本発明により、予定されたマンホール蓋／枠の取替え工事に際して、工事範囲を最小限とし、工事工程及び工事期間を削減／短縮出来るマンホール補修方法を提供することが出来る。
【発明を実施するための最良の形態】
【００１４】
　以下本発明を実施するための最良の形態を、実施例により詳しく説明する。
【実施例１】
【００１５】
　以下、実施例１である“マンホール補修方法”について説明する。
【００１６】
　図１は、回転円弧状または球面状カッターを有する路面用カッター装置を用いて予定されたマンホール蓋／枠の周囲に回転円弧状または球面状に切り込みを入れた状況の一例を示す説明図、図２（ａ）は、切込みを入れて分離除去可能とした切断片を除去した後の状況の一例を示す断面説明図、（ｂ）は、切断片の模式的外観斜視図、図３は、マンホール蓋／枠取替え後の最終工程施工状況の一例を示す詳細断面説明図、（ａ）は路盤材及び調整部材充填時の詳細断面説明図、（ｂ）は表層材充填後の詳細断面説明図、図４は、本発明に係る本工法と従来から行われていた従来工法との比較説明図であり、（ａ）は本工法の回転円弧状（球面状）切断の場合、（ｂ）は従来工法の四角形（四工程）切断、または円形切断の場合の例、図５（ａ）は、補強用鉄筋を網目状に配設した場合の状況を示す側断面図、（ｂ）はＡ部拡大図である。
【００１７】
　本実施例は、特開２００１−２９５２１６号公報に開示の路面用カッター、または特願２００２−６０５１４号出願の路面用カッター装置を用いて施工した場合であって、切断面となる壁面を回転円弧状または球面状に、且つ必要最小限の範囲で切断施工が可能である。
【００１８】
　前記装置を用いて、予定されたマンホール蓋／枠の同心円上路面に所定深さの回転円弧状または球面状切り込み１を入れ、取替えを必要とする部分、例えば、蓋及び蓋受枠２′を交換し、切断片を分離除去した後の空間に、予め用意した、例えば、路盤材６となるカルシウム、サルフォ、アルミネート系等の金属系無収縮材を含有するモルタル類からなる自硬性を有する高流動性無収縮充填材を充填し、また路面の表層部に繊維質を含有する表層材８を、余分に盛り上げることをせず、既存の路面に合わせて仕上げればよい。
【００１９】
　以下、図面を参照して実施例について詳細に説明する。
【００２０】
　図１において、ａ　先ず、交換を必要とする蓋受枠２′の径ｄが６５４ｍｍの場合、切断する直径Ｄは１０００ｍｍとし、予め用意した回転円弧状または球面状カッターを備えた路面用カッター装置の車輪角度を設定（ワンタッチ操作）し、装置を３６０°旋回して回転円弧状または球面状切り込み１を入れ（舗装切断）、ｂ　次いで、図２（ｂ）に示すように疑似円環状（ドーナツ状）の切断片を除去し、図２（ａ）に示すような疑似円環状（ドーナツ状）の空間を形成させ、旧い蓋受枠２′を取り外した後、下桝３の上面を清掃し、次に、ｃ　高さ調整部付きアンカーボルト５（後施工型アンカーボルト）を設置し（図３（ａ）、（ｂ）参照）、高さ調整し、新しい蓋受枠２、及び内型枠４を取り付ける。次に、ｄ　路盤材６及び調整部材７を充填し、養生時間（約１９分）経過後、ｅ　表層材８を、例えば、厚み５０ｍｍ（ｈ）に充填し、そして仕上げ作業を行い、表層材８の養生時間約３０分で実作業を終了する。
【００２１】
　本実施例では、実際の合計作業時間は２時間１４分であった。
【００２２】
　路盤材６及び調整部材７は、前述したように、カルシウム、サルフォ、アルミネート系等の金属系無収縮材を含有するモルタル類からなる自硬性を有する高流動性無収縮充填材を使用している。
【００２３】
　然も本工法では、補修材となる充填材は、短時間で所定強度に硬化するので、施工を開始してから完工するまで、所要の施工合計時間は３時間以内であり（季節及び環境条件によって多少変動あり）、作業時間を従来法と比較して略１／２以下に短縮することが出来る。
【００２４】
　尚、本工法の最大の特徴は、切断部の壁面を従来の様な柱状ではなく、回転円弧状または球面状切断部１ａとすることが出来るので、図４（ａ）に示すように、補修材（充填材）が、球面状を形成する切断部の摩擦力に加えて求心方向支持力により、例えば、図４（ａ）に示すように、上方からの圧力、即ち車両等の荷重Ｐを受ければ受けるほど、充填材と切断部１ａの密着性が高まり、従来法での柱状切断壁面のように隙間からの雨水の浸透等による補修部の沈下現象（図４（ｂ）参照）等を防止出来、トラブルを回避して全く安全且つ迅速なマンホール蓋／枠取替え工事を行うことが出来る。
【００２５】
　（変形１）
　前述の実施例１と異なる点は、高流動性無収縮充填材として、主として金属性骨材を含まない非金属系無収縮材を含むモルタル類を使用する点である。
【００２６】
　（変形２）
　前述の実施例１と異なる点は、高流動性無収縮充填材を充填する際に、補強用鉄筋を網目状に配設する点である。
【００２７】
　図５（ａ）、（ｂ）に示すように、高流動性無収縮充填材となる路盤材の内部に所定太さの鉄筋を所定ピッチで網目状に配設することにより、万一周辺の路盤が崩壊しても、影響を受けず、安全を維持することが出来る。
【００２８】
　尚、前述の実施例１では、高流動性無収縮充填材を指定して用いたが、本工法において、転圧もしくは転圧締め固め工程の必要の無い材料、または手作業程度の加圧操作で済む材料であれば良く、限定するものではない。
【図面の簡単な説明】
【００２９】
【図１】回転円弧状または球面状カッターを有する路面用カッター装置を用いて予定されたマンホール蓋／枠の周囲に回転円弧状または球面状に切り込みを入れた状況の一例を示す説明図
【図２】（ａ）切り込みを入れて分離除去可能とした切断片を除去した後の状況の一例を示す断面説明図、（ｂ）切断片の模式的外観斜視図
【図３】マンホール蓋／枠取替え後の最終工程施工状況の一例を示す詳細断面説明図、（ａ）路盤材及び調整部材充填時詳細断面説明図、（ｂ）は表層材充填後の詳細断面説明図
【図４】本発明に係る本工法と従来から行われていた従来工法との比較説明図、（ａ）本工法の回転円弧状（球面状）切断の場合、（ｂ）従来工法の四角形（四工程）切断、または円形切断の場合の例
【図５】（ａ）補強用鉄筋を網目状に配設した場合の状況を示す側断面図、（ｂ）Ａ部拡大図
【符号の説明】
【００３０】
１　回転円弧状または球面状切り込み
１ａ　回転円弧状または球面状切断部
２、２′　蓋受枠
３　下桝
４　内型枠
５　高さ調整部付きアンカーボルト（後施工形アンカーボルト）
６　路盤材
７　調整部材
８　表層材